(57)【要約】【課題】設置スペースに係る課題が解決された画像処理装置を提供すること。【解決手段】壁面２００と一体に構成された画像処理装置１であって、原稿を光学的に走査する画像読み取り部１２２を含むスキャナユニット１２０等の複数の画像処理工程ユニットと、スキャナユニット１２０に設けられ、スキャナユニット１２０を壁面２００に係止する係止部１２１とを有し、複数の画像処理工程ユニットは、壁面２００に収容された状態において壁面２００と略一様な面を構成することを特徴とする。【選択図】図１
2009188972.tif 000002
【特許請求の範囲】
【請求項１】
壁面と一体に構成された画像処理装置であって、
原稿を光学的に走査する画像読み取り部を含む複数の画像処理工程ユニットと、
前記画像処理工程ユニットに設けられ、当該画像処理工程ユニットを前記壁面に係止する係止部とを有し、
前記複数の画像処理工程ユニットは、前記壁面に収容された状態において当該壁面と略一様な面を構成することを特徴とする、画像処理装置。
【請求項２】
前記複数の画像処理工程ユニットは、前記壁面に対して相対的に移動可能に係止されており、前記壁面から突出した状態とすることが可能であることを特徴とする、請求項１に記載の画像処理装置。
【請求項３】
前記画像読み取り部は、前記原稿を光学的に走査する読み取り面を有し、
前記読み取り面は、前記画像読み取り部が前記壁面に収容された状態において当該壁面と略平行に配置され、前記画像読取装置が前記壁面から突出した状態において鉛直方向に対して垂直に配置されることを特徴とする、請求項２に記載の画像処理装置。
【請求項４】
前記画像処理工程ユニットは、用紙に対して画像形成を実行する画像形成部を有し、
前記画像形成部において発生する気体を排気する排気部を更に有し、
前記排気部は、前記壁面によって確定される空間とは異なる空間に排気する排気口に前記気体を排気することを特徴とする、請求項１乃至３いずれか１項に記載の画像処理装置。
【請求項５】
前記画像処理工程ユニットは、
ユーザが前記画像処理装置を操作する操作部と、
前記画像処理装置の状態を表示する表示部と、
用紙に対して画像形成を実行する画像形成部とのうち少なくともいずれか一つを有することを特徴とする、請求項１乃至４いずれか１項に記載の画像処理装置。
【請求項６】
前記画像処理工程ユニットは、
ユーザが前記画像処理装置を操作する操作部と、
前記画像処理装置の状態を表示する表示部と、
用紙に対して画像形成を実行する画像形成部と、
前記画像形成部によって画像形成が実行された用紙を排出する排紙部と、
前記画像形成部に用紙を供給する給紙部とを有し、
前記画像形成装置の上側から前記表示部及び前記操作部、前記画像読み取り部、前記排紙部、前記画像形成部、前記給紙部の順番で配置されていることを特徴とする、請求項５に記載の画像処理装置。
【請求項７】
前記画像処理工程ユニットは、複数の前記操作部を有し、
前記複数の操作部は、前記壁面において夫々異なる位置に配置され、
前記複数の操作部のいずれを用いても前記画像処理装置を操作可能であることを特徴とする、請求項５または６に記載の画像処理装置。
【請求項８】
前記画像処理工程ユニットは、前記複数の操作部毎に前記画像読み取り部を有することを特徴とする、請求項７に記載の画像処理装置。
【請求項９】
前記複数の画像処理ユニットを電気的に接続する配線を更に有し、
前記配線は、前記壁面の内部に収容されていることを特徴とする、請求項１乃至８いずれか１項に記載の画像処理装置。
【請求項１０】
前記係止部は、前記壁面に固着された係止部材を介して前記画像処理工程ユニットを前記壁面に係止することを特徴とする、請求項１乃至９いずれか１項に記載の画像処理装置。
【請求項１１】
前記壁面と略一様な面を構成するように設けられた電子黒板ユニットを更に有し、
前記画像読み取り部は、前記電子黒板ユニットの一部として構成され、前記電子黒板ユニットにおいてユーザが情報を書き込むべき書き込み面を前記原稿として読み取ることを特徴とする、請求項１乃至１０いずれか１項に記載の画像処理装置。
【請求項１２】
前記電子黒板ユニットは、前記書き込み面を遮蔽するためのシャッターを有し、前記シャッターを閉じた状態において前記壁面を略一様な面を構成することを特徴とする、請求項１１に記載の画像処理装置。
【請求項１３】
前記電子黒板ユニットは、前記書き込み面を移動可能に保持していることを特徴とする、請求項１１または１２に記載の画像処理装置。
【請求項１４】
壁面と一体に構成された画像処理装置であって、
紙媒体である原稿を光学的に走査する画像読み取り部を含む複数の画像処理工程ユニットと、
前記画像処理工程ユニットに設けられ、当該画像処理工程ユニットを前記壁面に係止する係止部とを有し、
前記複数の画像処理工程ユニットは、前記壁面に収容された状態において当該壁面と略一様な面を構成することを特徴とする、画像処理装置。
【発明の詳細な説明】
【技術分野】
【０００１】
本発明は、画像処理装置に関し、特に装置の設置に係るスペース占有の不具合の解消に関する。
【背景技術】
【０００２】
近年、情報の電子化が推進される傾向にあり、電子化された情報の出力に用いられるプリンタやファクシミリ等の画像形成装置、画像処理装置は欠かせない機器となっている。このような画像処理装置は、撮像機能、画像形成機能及び通信機能等を備えることにより、プリンタ、ファクシミリ、スキャナ、複写機等として利用可能な複合機として構成されることが多い。このような多様な機能を有する画像処理装置は、夫々の機能に対応したハードウェア構成を要するため、装置が大型化する傾向にあり、設置スペースを確保する必要がある。
【０００３】
画像処理装置の設置スペースの問題に対応した技術として、画像処理装置を構成する各ユニットを事務用机の内部に収容し、事務用机として設置する方法が提案されている（例えば、特許文献１参照）。特許文献１に開示された技術によれば、原稿走査光学系、像形成部及び給紙カセットを夫々事務用机の引き出しに収容し、使用する際には原稿走査光学系が収容された引き出しを引き出して使用する。これにより、設置スペースについての課題が解決された画像処理装置を提供することができる。
【特許文献１】特開昭６０−４９３７号公報
【発明の開示】
【発明が解決しようとする課題】
【０００４】
しかしながら、特許文献１に記載の技術を用いる場合、画像処理装置の各ユニットの大きさは、事務用机の引き出し等に収容可能な大きさである必要がある。即ち、画像処理装置を構成する各ユニットを、事務用机の引き出し等、各収容部に主要可能な大きさに構成する必要がある。また、事務用机の収容可能容積を超える画像処理装置は収容不可能である。更に、近年、オフィス等においては、画像処理装置はネットワークを介して複数人で共用されることが一般的であるところ、事務用机に収容するのは妥当ではない。
【０００５】
本発明は、上記実情を考慮してなされたものであり、設置スペースに係る課題が解決された画像処理装置を提供することを目的とする。
【課題を解決するための手段】
【０００６】
上記課題を解決するために、請求項１に記載の発明は、壁面と一体に構成された画像処理装置であって、原稿を光学的に走査する画像読み取り部を含む複数の画像処理工程ユニットと、前記画像処理工程ユニットに設けられ、当該画像処理工程ユニットを前記壁面に係止する係止部とを有し、前記複数の画像処理工程ユニットは、前記壁面に収容された状態において当該壁面と略一様な面を構成することを特徴とする。
【０００７】
また、請求項２に記載の発明は、請求項１に記載の画像処理装置において、前記複数の画像処理工程ユニットは、前記壁面に対して相対的に移動可能に係止されており、前記壁面から突出した状態とすることが可能であることを特徴とする。
【０００８】
また、請求項３に記載の発明は、請求項２に記載の画像処理装置において、前記画像読み取り部は、前記原稿を光学的に走査する読み取り面を有し、前記読み取り面は、前記画像読み取り部が前記壁面に収容された状態において当該壁面と略平行に配置され、前記画像読取装置が前記壁面から突出した状態において鉛直方向に対して垂直に配置されることを特徴とする。
【０００９】
また、請求項４に記載の発明は、請求項１乃至３いずれか１項に記載の画像処理装置において、前記画像処理工程ユニットは、用紙に対して画像形成を実行する画像形成部を有し、前記画像形成部において発生する気体を排気する排気部を更に有し、前記排気部は、前記壁面によって確定される空間とは異なる空間に排気する排気口に前記気体を排気することを特徴とする。
【００１０】
また、請求項５に記載の発明は、請求項１乃至４いずれか１項に記載の画像処理装置において、前記画像処理工程ユニットは、ユーザが前記画像処理装置を操作する操作部と、前記画像処理装置の状態を表示する表示部と、用紙に対して画像形成を実行する画像形成部とのうち少なくともいずれか一つを有することを特徴とする。
【００１１】
また、請求項６に記載の発明は、請求項５に記載の画像処理装置において、前記画像処理工程ユニットは、ユーザが前記画像処理装置を操作する操作部と、前記画像処理装置の状態を表示する表示部と、用紙に対して画像形成を実行する画像形成部と、前記画像形成部によって画像形成が実行された用紙を排出する排紙部と、前記画像形成部に用紙を供給する給紙部とを有し、前記画像形成装置の上側から前記表示部及び前記操作部、前記画像読み取り部、前記排紙部、前記画像形成部、前記給紙部の順番で配置されていることを特徴とする。
【００１２】
また、請求項７に記載の発明は、請求項５または６に記載の画像処理装置において、前記画像処理工程ユニットは、複数の前記操作部を有し、前記複数の操作部は、前記壁面において夫々異なる位置に配置され、前記複数の操作部のいずれを用いても前記画像処理装置を操作可能であることを特徴とする。
【００１３】
また、請求項８に記載の発明は、請求項７に記載の画像処理装置において、前記画像処理工程ユニットは、前記複数の操作部毎に前記画像読み取り部を有することを特徴とする。
【００１４】
また、請求項９に記載の発明は、請求項１乃至８いずれか１項に記載の画像処理装置において、前記複数の画像処理ユニットを電気的に接続する配線を更に有し、前記配線は、前記壁面の内部に収容されていることを特徴とする。
【００１５】
また、請求項１０に記載の発明は、請求項１乃至９いずれか１項に記載の画像処理装置において、前記係止部は、前記壁面に固着された係止部材を介して前記画像処理工程ユニットを前記壁面に係止することを特徴とする。
【００１６】
また、請求項１１に記載の発明は、請求項１乃至１０いずれか１項に記載の画像処理装置において、前記壁面と略一様な面を構成するように設けられた電子黒板ユニットを更に有し、前記画像読み取り部は、前記電子黒板ユニットの一部として構成され、前記電子黒板ユニットにおいてユーザが情報を書き込むべき書き込み面を前記原稿として読み取ることを特徴とする。
【００１７】
また、請求項１２に記載の発明は、請求項１１に記載の画像処理装置において、前記電子黒板ユニットは、前記書き込み面を遮蔽するためのシャッターを有し、前記シャッターを閉じた状態において前記壁面を略一様な面を構成することを特徴とする。
【００１８】
また、請求項１３に記載の発明は、請求項１１または１２に記載の画像処理装置において、前記電子黒板ユニットは、前記書き込み面を移動可能に保持していることを特徴とする。
【００１９】
また、請求項１４に記載の発明は、壁面と一体に構成された画像処理装置であって、紙媒体である原稿を光学的に走査する画像読み取り部を含む複数の画像処理工程ユニットと、前記画像処理工程ユニットに設けられ、当該画像処理工程ユニットを前記壁面に係止する係止部とを有し、前記複数の画像処理工程ユニットは、前記壁面に収容された状態において当該壁面と略一様な面を構成することを特徴とする。
【発明の効果】
【００２０】
本発明によれば、設置スペースに係る課題が解決された画像処理装置を提供することが可能となる。
【発明を実施するための最良の形態】
【００２１】
以下、図面を参照して、本発明の実施形態を詳細に説明する。
実施の形態１．
本実施形態においては、オフィス等の壁面と一体に構成され、壁面に対して略フラットな収容状態とすることができる画像処理装置について説明する。
図１は、本実施形態に係る画像処理装置１及び画像処理装置１が係止された壁面２００を示す斜視図である。図１に示すように、本実施形態に係る画像処理装置１は、夫々の機能を担う複数のユニットを有し、それらのユニットが壁面２００に係止されて構成されている。本実施形態に係る画像処理装置１は、ディスプレイパネルユニット１１０、スキャナユニット１２０、排紙トレイユニット１３０、プロッタユニット１４０及び給紙トレイユニット１５０を有する。
【００２２】
ディスプレイパネルユニット１１０は、画像処理装置１の状態を視覚的に表示する表示部として機能すると共に、タッチパネルとしてユーザが画像処理装置１を直接操作し若しくは画像処理装置１に対して情報を入力する際の入力インタフェース（操作部）でもある。スキャナユニット１２０は、原稿を光学的に走査し、画像情報を生成する画像読み取り部である。本実施形態に係るスキャナユニット１２０は、図中矢印に示すように、画像処理装置１を使用していない状態において壁面２００からの突出部分を少なくするための変形機構を有する。スキャナユニット１２０の変形機構については後に詳述する。
【００２３】
プロッタユニット１４０は、用紙に対して画像形成を実行する画像形成部である。プロッタユニット１４０の具体的態様としては、インクジェット方式による画像形成機構や電子写真方式による画像形成機構等を用いることが可能である。排紙トレイユニット１３０は、プロッタユニット１４０によって画像形成が実行された用紙が排出されるトレイである。ユーザは、排紙トレイユニット１３０を壁面２００から引き出すことにより、排紙トレイユニット１３０内部に排出された用紙を取り出す。給紙トレイユニット１５０は、プロッタユニット１４０に供給される用紙を収容している。ユーザは、給紙トレイユニット１５０を壁面２００から引き出すことにより、給紙トレイユニット１５０内部に用紙を補充する。
【００２４】
図２（ａ）、（ｂ）は、図１に示す切断線ＡＡ´における断面を示す断面図である。図２（ａ）は、スキャナユニット１２０、排紙トレイユニット１３０、プロッタユニット１４０及び給紙トレイユニット１５０を収容した状態を示す断面図である。図２（ａ）に示すように、画像処理装置１を構成するディスプレイパネルユニット１１０、スキャナユニット１２０、排紙トレイユニット１３０、プロッタユニット１４０及び給紙トレイユニット１５０等の各ユニットは、収容状態において壁面２００と略一様な面な構成する。このような構成により、居室内のスペースが占有されることなく、画像処理装置１を設置する事が可能となる。
【００２５】
尚、図２（ａ）においては、排紙トレイユニット１３０、プロッタユニット１４０及び給紙トレイユニット１５０の面は、収容状態において壁面２００と略同一の平面を構成している。他方、ディスプレイパネルユニット１１０及びスキャナユニット１２０は、壁面２００からわずかに突出している。従って、ディスプレイパネルユニット１１０及びスキャナユニット１２０は、収容状態において壁面２００と同一の平面を構成するわけではない。しかしながら、ディスプレイパネルユニット１１０及びスキャナユニット１２０の壁面２００からの突出量は非常に小さく、ディスプレイパネルユニット１１０及びスキャナユニット１２０は、その収容状態において壁面２００と略一様な面を構成する。
【００２６】
尚、ディスプレイパネルユニット１１０及びスキャナユニット１２０を完全に壁面２００に埋め込み、画像処理装置１が壁面２００と略同一の平面を構成するようにしても良い。他方、排紙トレイユニット１３０、プロッタユニット１４０及び給紙トレイユニット１５０が壁面２００から僅かに突出する場合であっても、図２（ａ）に示すディスプレイパネルユニット１１０及びスキャナユニット１２０のように、壁面２００と略一様な面を構成するようにすれば、同様の効果を得ることが可能である。尚、画像処理装置１を構成する各ユニットは、壁の内部において配線１０により電気的に接続されている。配線１０は、データ転送線と電源供給線とが設けられ、夫々のユニット間のデータ転送及び電源供給が配線１０を介してなされる。
【００２７】
また、図２（ｂ）に示すように、スキャナユニット１２０、排紙トレイユニット１３０、プロッタユニット１４０及び給紙トレイユニット１５０は、壁面から引き出すことが可能となっている。スキャナユニット１２０は、後述する機構により、壁面から引き出された状態となる。スキャナユニット１２０、排紙トレイユニット１３０、プロッタユニット１４０及び給紙トレイユニット１５０は、図２（ｂ）に示すように、壁に固着された係止部材２０１、２０２、２０３及び２０４を介して壁に係止されている。そして、排紙トレイユニット１３０、プロッタユニット１４０及び給紙トレイユニット１５０は、夫々係止部材２０２、２０３及び２０４に対して相対的に移動することにより、図２（ｂ）に示すように、壁面から引き出された状態となる。
【００２８】
図３は、本実施形態に係る画像処理装置１の収容状態を正面から見た状態を示す図である。図３に示すように、画像処理装置１は、壁面において最上部にディスプレイパネルユニット１１０が配置され、その下にスキャナユニット１２０、その次に排紙トレイユニット１３０、その下にプロッタユニット１４０、最下部に給紙トレイユニット１５０が配置されている。ディスプレイパネルユニット１１０、スキャナユニット１２０及び排紙トレイユニット１３０等、ユーザが直接操作することの多いユニットは比較的上方に配置されている。また、プロッタユニット１４０及び給紙トレイユニット１５０等、ユーザが直接操作することの少ないユニットは比較的下方に配置されている。
【００２９】
また、図３中に破線で示すのは、画像処理装置１内部における用紙の搬送経路である。即ち、図３に示すように、給紙トレイユニット１５０から引き出された用紙はプロッタユニット１４０に搬送され、プロッタユニット１４０において紙面上に画像形成が実行される。プロッタユニット１４０によって画像形成が施された用紙は、排紙トレイユニット１３０に搬送され、排紙される。
【００３０】
図４（ａ）〜（ｃ）は、本実施形態に係るスキャナユニット１２０を示す斜視図である。図４（ａ）〜（ｃ）を参照して、本実施形態に係るスキャナユニット１２０の機構について説明する。図４（ａ）は、スキャナユニット１２０とスキャナユニット１２０が嵌め込まれる壁面２００に設けられた凹部２０１を示している。図４（ａ）に示すように、スキャナユニット１２０は、係止部１２１、画像読み取り部１２２を有する。
【００３１】
スキャナユニット１２０は、係止部１２１を壁面２００に固着された係止部材２０１に嵌め込むことにより図４（ｂ）に示すように壁面２００に固定される。係止部１２１にはコネクタ部１２４が設けられており、係止部１２１が係止部材２０１に嵌め込まれた状態において、コネクタ部１２４は係止部２０１に設けられたコネクタ部２１１と接続される。これにより、スキャナユニット１２０が他のユニットと電気的に接続される。
【００３２】
係止部１２１と画像読み取り部１２２とは連結部１２３を介して連結されている。係止部１２１と画像読み取り部１２２とは、連結部１２３を軸として互いに対して相対的に回転可能となっている。図４（ｂ）に示すように壁面に固着された状態において、スキャナユニット１２０の画像読み取り部１２２を係止部１２１に対して回転させると、図４（ｃ）に示すように、画像読み取り部１２２が壁面から突出した状態となる。これにより、図４（ｃ）に示すように画像読み取り部１２２に設けられた読み取り面であるコンタクトガラス１２５が現れ、スキャンの実行が可能となる。
【００３３】
図４（ｂ）に示すように、コンタクトガラス１２５の読み取り面は、スキャナユニット１２０の収容状態において壁面２００と略平行な状態となる。また、図４（ｃ）に示すように、画像読み取り部１２２が壁面２００から引き出された状態において、コンタクトガラス１２５の読み取り面は鉛直方向と垂直に配置される。これにより、コンタクトガラス１２５に原稿を載置してスキャンを実行することが可能となる。
【００３４】
図５は、本実施形態に係るプロッタユニット１４０及び壁面２００においてプロッタユニット１４０が係止される係止部材２０３を示す斜視図である。上述したように、プロッタユニット１４０は、用紙に対して画像形成を実行する画像形成部であり、採用された画像形成方式に応じた画像形成機構が内部に収容されている。例えば、電子写真方式を採用する場合であれば、トナーボトル、感光体ドラム及び光書き込み装置等が含まれる。図５に示すように、本実施形態に係るプロッタユニット１４０は、係止部１４１、コネクタ部１４２及び排気口１４３を有する。
【００３５】
プロッタユニット１４０は、係止部１４１を係止部材２０３に設けられた凸部２３１に嵌合させながらスライドさせることにより、係止部材２０３に挿入され、図１、２に示すように壁面２００に挿入された状態となる。プロッタユニット１４０が係止部材２０３に挿入された状態において、コネクタ部１４２は係止部材２０３に設けられたコネクタ部２３３と接続される。これにより、プロッタユニット１４０が他のユニットと電気的に接続される。また。プロッタユニット１４０が係止部材２０３に挿入された状態において、排気口１４３と係止部材２０３に設けられた排気ダクト２３２とが接続される。排気ダクト２３２は、建物の外や排気タンク等、壁面２００によって画定される居室とは異なる空間に連結されている。これにより、プロッタユニット１４０内部において発生するオゾン等の気体や熱気等、居住環境に影響する気体を、居室を通すことなく排気することができる。
【００３６】
図６は、画像処理装置１を複写機として動作させる際のユーザの操作及び画像処理装置１の動作を示すフローチャートである。画像処理装置１を複写機として動作させる場合、先ず、図２（ａ）に示す状態から図２（ｂ）に示す状態のように、スキャナユニット１２０の画像読み取り部１２２を倒す（Ｓ６０１）。そして、図２（ｂ）の状態において表れたコンタクトガラス１２５の読み取り面上に複写すべき原稿をセットする（Ｓ６０２）。コンタクトガラス１２５の読み取り面上に原稿をセットした状態で、ディスプレイパネルユニット１１０を操作してコピー枚数等のコピー情報を入力し、コピー開始の指示を入力する（Ｓ６０３）。
【００３７】
ディスプレイパネルユニット１１０から入力されたコピー開始の指示は、配線１０を介してスキャナユニット１２０に入力される。コピー開始の指示を受けたスキャナユニット１２０はコンタクトガラス１２５にセットされた原稿のスキャンを実行する（Ｓ６０４）。スキャナユニット１２０のスキャンによって生成された画像情報は、配線１０を介してプロッタユニット１４０に入力される（Ｓ６０５）。プロッタユニット１４０への画像情報の入力に際し、給紙トレイユニット１５０に収容された用紙が引き出され、プロッタユニット１４０に搬送される（Ｓ６０６）。そして、プロッタユニット１４０は、入力された画像情報を搬送された用紙の紙面上に描画し、画像形成を実行する（Ｓ６０７）。画像形成が完了すると、プロッタユニット１４０から排紙トレイユニット１３０に用紙が搬送され（Ｓ６０８）、処理が終了する。
【００３８】
以上説明したように、本実施形態に係る画像形成装置１においては、画像処理装置１を構成する各ユニット１１０〜１５０を、係止部材２０１〜２０４等を用いて壁面に係止すると共に、夫々のユニット１１０〜１５０の収容状態において、画像処理装置１と壁面２００とが略一様な面を構成する。これにより、設置スペースに係る課題が解決された画像処理装置を提供することが可能となる。また、通常の画像処理装置を壁際等に設置すると、装置と壁との間に塵埃等が蓄積し、衛生面等の問題が生じるところ、本実施形態に係る画像処理装置１を用いることにより、そのような課題を解決することも可能となる
【００３９】
また、本実施形態に係る画像処理装置１は、ディスプレイパネルユニット１１０、スキャナユニット１２０、排紙トレイユニット１３０、プロッタユニット１４０及び給紙トレイユニット１５０のように、画像処理の各工程を実行する機構が含まれている。従って、いずれか１つのユニットに故障等の不具合が発生した場合、そのユニットのみを交換若しくは修理すれば良い。即ち、ユニット毎の個別のメンテナンスが可能となり、装置のダウンタイムの短縮化やメンテナンス効率の向上を図ることが可能となる。また、従来の画像処理装置は、１つの装置としてまとまっているため、オフィス等への搬入に際して広いスペースを要するところ、本実施形態に係る画像処理装置１は、各ユニット毎の搬入が可能となるため、そのような課題を解決することが可能となる。
【００４０】
尚、上記の説明においては、画像処理装置１を複写機として動作させる例のみを説明したが、プリンタ若しくはスキャナとして動作させることも可能である。画像処理装置１をプリンタとして動作させる場合は、ＰＣ（Ｐｅｒｓｏｎａｌ  Ｃｏｍｐｕｔｅｒ）等のクライアント装置から画像処理装置１に対して印刷ジョブを送信する。画像処理装置１は、受信した印刷ジョブをプロッタユニット１４０で処理し、図６において説明したＳ６０５以降の処理と同様に画像形成を実行する。画像処理装置１をスキャナとして動作させる場合は、図６において説明したＳ６０３、Ｓ６０４の処理と同様にスキャンを実行し、生成された画像情報を画像処理装置１に設けられた記憶媒体若しくは配線１０を介してＰＣ等のクライアント装置に格納する。
【００４１】
実施の形態２．
実施の形態１においては、設置スペースについての課題を解決する画像処理装置として、複写機、プリンタ及びスキャナとして動作するＭＦＰ（Ｍｕｌｔｉ  Ｆｕｎｃｔｉｏｎ  Ｐｅｒｉｐｈｅｒａｌ）としての画像処理装置１の例を説明した。本実施形態においては、画像処理装置１の他の例として、プリントアウト機能を有する電子黒板を例として説明する。尚、実施の形態１と同様の符号を付す構成については、同一または相当部を示すものとし、説明を省略する。
【００４２】
一般的に、電子黒板はＡ０サイズ以上のものが多い。従って、電子黒板を設置するためには、相当のスペースが必要である。記載した内容を出力するためのプロッタ等の構成部品を取り外し、壁面に設置可能な電子黒板が提案されている。尚、ここで言う電子黒板とは、書いた内容をそのまま縮小して紙にコピーできるホワイトボードである。しかしながら、電子黒板において最もスペースを要するのは、文字等を書き込むホワイトボードの部分及びホワイトボードに書き込まれた内容を読み取るスキャナ部分である。従って、このホワイトボード部分やスキャナ部分の設置スペースが必要である以上、それ以外の構成部品を壁面に設置しても、高い省スペース効果は期待出来ない。
【００４３】
本実施形態においては、電子黒板を壁面と一体に構成することにより、電子黒板の設置スペースの課題を解決することを特徴とする。図７は、本実施形態に係る画像処理装置１の正面図である。本実施形態に係る画像処理装置１は、会議等で議事の内容を記載するために使用する電子黒板である。図７に示すように本実施形態に係る画像処理装置１は、図３において説明した実施の形態１に係る画像処理装置１と略同様の構成を有する。ここで、本実施形態に係る画像処理装置１は、スキャナユニット１２０に替えてホワイトボードユニット１６０を有する点が実施の形態１と異なる。
【００４４】
図８は、図７に示す切断線ＢＢ´における断面を示す断面図である。図８に示すように、本実施形態に係るホワイトボードユニット１６０は、壁に固着された係止部材２０５を介して壁に係止されている。ホワイトボードユニット１６０は、ホワイトボード１６１、スキャナ１６２を有する。ホワイトボード１６１は、文字等を書き込む書き込み面を有する。ホワイトボード１６１の書き込み面は、壁面２００の表面側に露出しており、壁面２００と略一様な面を構成する。
【００４５】
スキャナ１６２は、ホワイトボード１６１上に書き込まれた文字等を光学的に走査し、画像情報を生成する画像読み取り部である。即ち、本実施形態に係るスキャナ１６２は、電子黒板であるホワイトボードユニット１６０においてユーザが情報を書き込むべき書き込み面であるホワイトボード１６１を原稿として読み取る。換言すると、実施の形態１における原稿は紙媒体であったが、本実施形態においては、ホワイトボード１６１が原稿となる。
【００４６】
図８に示すように、スキャナ１６２は、ホワイトボード１６１の背面側に設けられている。即ち、スキャナ１６２の撮像面は外部に露出する事がなく、ホワイトボード１６１の書き込み面に描かれた情報を撮像するためだけに機能する。また、スキャナ１６２は、実施の形態１におけるスキャナユニット１２０と同様に、配線１０によってプロッタユニット１４０、ディスプレイパネルユニット１１０と接続されている。
【００４７】
ホワイトボードユニット１６０の構成について、図９を参照して更に詳細に説明する。図９は、ホワイトボードユニット１６０の構成を示す斜視図である。図９に示すように、ホワイトボード１６１は、帯状の部材において長手方向の両端部が連結されベルト状に構成された部材である。ホワイトボード１６１は、ローラ６１１及びローラ６１２に掛け渡されている。ホワイトボード１６１は、ローラ６１１、６１２の回転に応じて回転する
【００４８】
スキャナ１６２は、その撮像面がホワイトボード１６１に対向するように配置されている。ホワイトボード１６１が、ローラ６１１、６１２の回転に応じて回転することにより、ホワイトボード１６１の書き込み面がスキャナ１６２の撮像面に対して相対的に移動する。これにより、ホワイトボード１６１の書き込み面の全面をスキャンすることが可能となる。
【００４９】
本実施形態に係る画像処理装置１は、実施の形態１の図６において説明したＳ６０３以降の処理と同様に動作する。即ち、ユーザによるディスプレイパネルユニット１１０の操作（Ｓ６０３）に応じてスキャナ１６２がスキャンを実行する（Ｓ６０４）。Ｓ６０４の処理においては、上述したように、ローラ６１１、６１２の回転に応じてホワイトボード１６１が回転し、スキャナ１６２によってスキャンが実行され、画像情報が生成される。その後は、実施の形態１の処理と同様に夫々の処理が実行される。
【００５０】
以上、説明したように、本実施形態に係る画像処理装置１により、設置スペースに係る課題が解決された電子黒板を提供することが可能となる。尚、上記説明においては、ホワイトボード１６１が壁面２００の表面側に露出しており、壁面２００と略一様な面を構成する例を説明した。この他、非使用時においてホワイトボード１６１の書き込み面を覆い隠すことにより、非使用時の壁面２００の美観を高めることも可能である。そのような形態を図１０に示す。
【００５１】
図１０は、ホワイトボードユニット１６０の非使用時の態様として、ホワイトボードユニット１６０を被覆可能に構成した例を示す図である。図１０に示すように、ホワイトボードユニット１６０は、開閉可能なシャッター１６３を有する。シャッター１６３は、閉じた状態においてホワイトボード１６１を被覆し、壁面２００と略一様な面を構成する。これにより、ホワイトボードユニット１６０の非使用時における壁面２００の美観を高めることが可能となる。
【００５２】
また、ホワイトボードユニット１６０においてホワイトボード１６１及びスキャナ１６２を完全に固定する場合の他、移動可能に設けることも可能である。これにより、複数のホワイトボード１６１を使い分けることが可能となる。また、複数の会議スペースで１つのホワイトボード１６１を共用することが可能となる。そのような例について、以下に説明する。
【００５３】
図１１（ａ）、（ｂ）は、ホワイトボードユニット１６０において、ホワイトボード１６１を上下に移動可能に構成した例を示す図である。図１１（ａ）、（ｂ）の例において、ホワイトボード１６１は、レール等を介して係止部２０５にセットされている。ホワイトボード１６１は、上記レールに沿って移動可能である。これにより、ホワイトボード１６１は、図１１（ａ）に示す状態から図１１（ｂ）に示す状態に遷移する。図１１（ｂ）に示す状態においては、ホワイトボード１６１は、人の目線よりも上の高さであるため、壁面２００の美観を高めることができる。また、２つのホワイトボードを上下に設けることにより、複数のホワイトボードを使い分けることが可能となる。
【００５４】
図１２（ａ）、（ｂ）は、ホワイトボードユニット１６０において、ホワイトボード１６１を左右に移動可能に構成した例を示す図である。図１２（ａ）、（ｂ）の例において、ホワイトボード１６１は、レール等を介して係止部２０５にセットされている。ホワイトボード１６１は、上記レールに沿って移動可能である。これにより、ホワイトボード１６１は、図１２（ａ）に示す状態から図１２（ｂ）に示す状態に遷移する。図１２（ａ）、（ｂ）に示す状態において、ホワイトボード１６１は、複数の会議室や会議スペースに渡って移動可能に構成されている。これにより、複数の場所において１つのホワイトボード１６１を共用することが可能となる。
【００５５】
尚、図１１（ａ）、（ｂ）若しくは図１２（ａ）、（ｂ）の場合において、スキャナユニット１６２は、ホワイトボード１６１と一体に移動するように構成しても良いし、ホワイトボード１６１のみを移動可能としても良い。ホワイトボード１６１のみを移動可能に構成する場合、ホワイトボード１６１に書き込んだ内容をスキャンする際は、ホワイトボード１６１をスキャナ１６２の位置に移動させた上で上記スキャン処理を実行する。
【００５６】
また、上記の説明において、ホワイトボードユニット１６０は、配線１０を介してプロッタユニット１４０と接続されている例を説明した。この他、無線通信によりホワイトボードユニット１６０とプロッタユニットとを接続しても良い。例えば、１つのプロッタユニット１４０を複数のホワイトボードユニット１６０で共用する場合、配線１０を用いると非常に長い配線が必要となる。また、配線１０を壁面２００内部に設ける必要があるため、離れた位置にあるプロッタユニット１４０とホワイトボードユニット１６０との接続が困難である。
【００５７】
図１３に示すように、複数のホワイトボードユニット１６０ａ〜１６０ｆとプロッタユニット１４０とを無線通信で接続することにより、このような課題を解決することが可能となる。尚、プロッタユニット１４０とホワイトボードユニット１６０とに限らず、ディスプレイパネルユニット１１０も無線通信により接続しても良い。これにより、壁面２００内部において配線１０を接続する作業が不要となる。さらには、実施の形態１のディスプレイパネルユニット１１０、スキャナユニット１２０、プロッタユニット１４０の接続に無線接続を用いても良い。
【００５８】
その他の実施形態．
実施の形態１においては、１つのディスプレイパネルユニット１１０、スキャナユニット１２０に対して１つのプロッタユニット１４０が接続された画像処理装置１を例として説明した。この他、ディスプレイパネルユニット１１０及びスキャナユニット１２０を複数の場所の壁面に設け、１つのプロッタユニット１４０に接続するようにしても良い。この場合、何れのディスプレイパネルを操作し、何れのスキャナユニット１１０においてスキャンを実行した場合であっても、同一のプロッタユニット１４０に情報が入力され、同一の排紙トレイ１３０に複写用紙が排紙される。これにより、複数箇所において画像処理装置１の操作が可能となる。
【００５９】
また、実施の形態１においては、係止部材２０１、２０２、２０３及び２０４を介してスキャナユニット１２０、排紙トレイユニット１３０、プロッタユニット１４０及び給紙トレイユニット１５０を壁面２００に係止する例を説明した。この他、複数の係止部を備えたユニットラックを壁面２００に埋め込み、画像処理装置１を構成する各ユニットをそのユニットラックに嵌め込むようにしても良い。
【図面の簡単な説明】
【００６０】
【図１】本発明の実施形態に係る画像処理装置の外観を示す斜視図である。
【図２】本発明の実施形態に係る画像処理装置を示す断面図である。
【図３】本発明の実施形態に係る画像処理装置を示す正面図である。
【図４】本発明の実施形態に係るスキャナユニットを示す斜視図である。
【図５】本発明の実施形態に係るプロッタユニットを示す斜視図である。
【図６】本発明の実施形態に係る画像処理装置の操作及び動作を示すフローチャートである。
【図７】本発明の他の実施形態に係る画像処理装置を示す正面図である。
【図８】本発明の他の実施形態に係る画像処理装置に含まれるホワイトボードユニットを示す断面図である。
【図９】本発明の他の実施形態に係るホワイトボードユニットを示す斜視図である。
【図１０】本発明の他の実施形態に係るホワイトボードを示す断面図である。
【図１１】本発明の他の実施形態に係る画像処理装置を示す正面図である。
【図１２】本発明の他の実施形態に係る画像処理装置を示す正面図である。
【図１３】本発明の他の実施形態に係る画像処理装置の構成を示すブロック図である。
【符号の説明】
【００６１】
１    画像処理装置
１０    配線
１１０    ディスプレイパネルユニット
１２０    スキャナユニット
１２１    係止部
１２２    画像読み取り部
１２３    連結部
１２４    コネクタ部
１２５    コンタクトガラス
１３０    排紙トレイユニット
１４０    プロッタユニット
１４１    係止部
１４２    コネクタ部
１４３    排気口
１５０    給紙トレイユニット
１６０、１６０ａ、１６０ｂ、１６０ｃ、１６０ｄ、１６０ｅ、１６０ｆ    ホワイトボードユニット
１６１    ホワイトボード
１６２    スキャナ
１６３    シャッター
２００    壁面
２０１、２０２、２０３、２０４    係止部
２１１    コネクタ部
２３１    凸部
２３２    排気ダクト
２３３    コネクタ部
６１１、６１２    ローラ
【図１】
2009188972.tif 000003
【図２】
2009188972.tif 000004
【図３】
2009188972.tif 000005
【図４】
2009188972.tif 000006
【図５】
2009188972.tif 000007
【図６】
2009188972.tif 000008
【図７】
2009188972.tif 000009
【図８】
2009188972.tif 000010
【図９】
2009188972.tif 000011
【図１０】
2009188972.tif 000012
【図１１】
2009188972.tif 000013
【図１２】
2009188972.tif 000014
【図１３】
2009188972.tif 000015